(57)【要約】本発明は、加入者ステーション（１）により選択可能なネットワークアカウントを用いて第１ネットワーク（１０）を介し、第１交換ステーション（１５）を介し、更に第２ネットワーク（１０、５０）を介した、サービスプロバイダステーション（７５）に対する第１アクセスモード（ＩＡ）のために、特に自動車両内に設けられている加入者ステーション（１）の第１メモリ装置（２）内に第１アクセスデータ（Ｄ１、Ｄ２、Ｄ３、…）を提供するための方法を創作するものであり、この際、第２アクセスモード（ＤＡ）は、第２メモリ装置（３）内に記憶されている第２アクセスデータ（Ｄ）により、第１ネットワーク（１０）及び固定式で予め設定されている第２交換ステーション（２５）を介して提供可能である。本方法は以下のステップを有する：加入者ステーション（１）によりネットワークアカウントを選択するステップと、選択されたネットワークアカウントのために第１アクセスデータ（Ｄ１、Ｄ２、Ｄ３、…）が加入者ステーション（１）内に記憶されているか否かを検査するステップと、前記検査がＹｅｓの場合、記憶されている第１アクセスデータ（Ｄ１、Ｄ２、Ｄ３、…）を用いてサービスプロバイダステーション（７５）に対する第１アクセスモード（ＩＡ）を要求するステップと、前記検査がＮｏの場合、記憶されている第２アクセスデータ（Ｄ）を用いてサービスプロバイダステーション（７５）に対する第２アクセスモード（ＤＡ）を要求し、且つ、選択されたネットワークアカウントのための第１アクセスデータ（Ｄ１、Ｄ２、Ｄ３、…）を第２アクセスモード（ＤＡ）にて要求するステップと、選択されたネットワークアカウントのための要求された第１アクセスデータ（Ｄ１、Ｄ２、Ｄ３、…）を加入者ステーション（１）へと第２アクセスモード（ＤＡ）にて伝達するステップと、選択されたネットワークアカウントのための伝達された第１アクセスデータ（Ｄ１、Ｄ２、Ｄ３、…）を加入者ステーション（１）内に記憶させるステップ。
2005502271.tif 000002
【特許請求の範囲】
【請求項１】
加入者ステーション（１）により選択可能なネットワークアカウントを用いて第１ネットワーク（１０）を介し、第１交換ステーション（１５）を介し、更に第２ネットワーク（１０、５０）を介した、サービスプロバイダステーション（７５）に対する第１アクセスモード（ＩＡ）のために、特に自動車両内に設けられている加入者ステーション（１）の第１メモリ装置（２）内に第１アクセスデータ（Ｄ１、Ｄ２、Ｄ３、…）を提供するための方法であって、第２アクセスモード（ＤＡ）が、第２メモリ装置（３）内に記憶されている第２アクセスデータ（Ｄ）により、第１ネットワーク（１０）及び固定式で予め設定されている第２交換ステーション（２５）を介して提供可能である前記方法において、
加入者ステーション（１）によりネットワークアカウントを選択するステップと、
選択されたネットワークアカウントのために第１アクセスデータ（Ｄ１、Ｄ２、Ｄ３、…）が加入者ステーション（１）内に記憶されているか否かを検査するステップと、
前記検査がＹｅｓの場合、記憶されている第１アクセスデータ（Ｄ１、Ｄ２、Ｄ３、…）を用いてサービスプロバイダステーション（７５）に対する第１アクセスモード（ＩＡ）を要求するステップと、
前記検査がＮｏの場合、記憶されている第２アクセスデータ（Ｄ）を用いてサービスプロバイダステーション（７５）に対する第２アクセスモード（ＤＡ）を要求し、且つ、選択されたネットワークアカウントのための第１アクセスデータ（Ｄ１、Ｄ２、Ｄ３、…）を第２アクセスモード（ＤＡ）にて要求するステップと、
選択されたネットワークアカウントのための要求された第１アクセスデータ（Ｄ１、Ｄ２、Ｄ３、…）を加入者ステーション（１）へと第２アクセスモード（ＤＡ）にて伝達するステップと、
選択されたネットワークアカウントのための伝達された第１アクセスデータ（Ｄ１、Ｄ２、Ｄ３、…）を加入者ステーション（１）内に記憶させるステップと
を含むことを特徴とする方法。
【請求項２】
第１アクセスモード（ＩＡ）が、第１アクセスデータ（Ｄ１、Ｄ２、Ｄ３、…）を用い、第１ネットワーク（１０）を介して加入者ステーション（１）から第１交換ステーション（１５）への第１接続（Ｖ０、Ｖ１）を構築すること、及び、第２ネットワーク（５０）を介して第１交換ステーション（１５）からサービスプロバイタステーション（７５）への第２接続（Ｖ３、Ｖ５）を構築することにより提供可能であることを特徴とする、請求項１に記載の方法。
【請求項３】
第２アクセスモード（ＤＡ）が、第２アクセスデータ（Ｄ）を用い、第１ネットワーク（１０）を介して加入者ステーション（１）から第２交換ステーション（２５）への第３接続（Ｖ０、Ｖ２）を構築すること、及び、第２交換ステーション（２５）からサービスプロバイタステーション（７５）への第４接続（Ｖ４）を構築することにより提供可能であることを特徴とする、請求項１又は２に記載の方法。
【請求項４】
第１ネットワーク（１０）が、無線ネットワーク、特に無線電話ネットワークであることを特徴とする、請求項１〜３のいずれか一項に記載の方法。
【請求項５】
第１ネットワーク（１０）が無線電話ネットワークであり、第１アクセスデータ（Ｄ１、Ｄ２、Ｄ３、…）が無線電話番号を有することを特徴とする、請求項４に記載の方法。
【請求項６】
第１交換ステーション（１５）がネットワークアカウントのネットワーク提供者の交換ステーションであり、この交換ステーションが前記無線電話番号を介して呼び出し選択可能であることを特徴とする、請求項５に記載の方法。
【請求項７】
第２ネットワーク（５０）が、グローバルネットワーク、特にインターネットであることを特徴とする、請求項１〜６のいずれか一項に記載の方法。
【請求項８】
第２ネットワーク（５０）がインターネットであり、第１アクセスデータ（Ｄ１、Ｄ２、Ｄ３、…）がインターネットアドレスを有することを特徴とする、請求項７に記載の方法。
【請求項９】
第１アクセスデータ（Ｄ１、Ｄ２、Ｄ３、…）が利用者識別及びパスワードを有することを特徴とする、請求項８に記載の方法。
【請求項１０】
選択されたネットワークアカウントのための伝達された第１アクセスデータ（Ｄ１、Ｄ２、Ｄ３、…）を加入者ステーション（１）内に記憶させた直後に第２アクセスモード（ＤＡ）が切断され、記憶された第１アクセスデータ（Ｄ１、Ｄ２、Ｄ３、…）を用いてサービスプロバイタステーション（７５）に対する第１アクセスモード（ＩＡ）の要求が実施されることを特徴とする、請求項１〜９のいずれか一項に記載の方法。
【請求項１１】
記憶されている第１アクセスデータ（Ｄ１、Ｄ２、Ｄ３、…）を用いたサービスプロバイダステーション（７５）に対する第１アクセスモード（ＩＡ）の要求時、予め設定されている少なくとも１つのエラーの後、記憶されている第１アクセスデータ（Ｄ１、Ｄ２、Ｄ３、…）の消去が実施され、選択されたネットワークアカウントのための第１アクセスデータ（Ｄ１、Ｄ２、Ｄ３、…）の新要求が第２アクセスモード（ＤＡ）で実施されることを特徴とする、請求項１〜１０のいずれか一項に記載の方法。
【請求項１２】
加入者ステーション（１）が自動車両内に設けられていて、第２アクセスデータ（ＤＡ）が無線電話番号を有し、第２交換ステーション（２５）が自動車両製造者の交換ステーションであり、この交換ステーションが前記無線電話番号を介して呼び出し選択可能であることを特徴とする、請求項５に記載の方法。
【請求項１３】
第１メモリ装置（２）がテーブルメモリであり、このテーブルメモリが予め設定されているセット数の第１アクセスデータ（Ｄ１、Ｄ２、Ｄ３、…）を記憶し得ることを特徴とする、請求項１〜１２のいずれか一項に記載の方法。
【請求項１４】
前記テーブルメモリがＦＩＦＯ原理で書き込まれることを特徴とする、請求項１３に記載の方法。
【請求項１５】
第１アクセスデータ（Ｄ１、Ｄ２、Ｄ３、…）のセットには自動的に各々の有効期限が割り当てられ、この有効期限で各々のセットが自動的に消去されることを特徴とする、請求項１３又は１４に記載の方法。
【請求項１６】
各々の有効期限が第１アクセスデータ（Ｄ１、Ｄ２、Ｄ３、…）に依存することを特徴とする、請求項１５に記載の方法。
【請求項１７】
本方法が、ＳＩＭカードの取り入れと電話ネットワークへのログインの後に自動的に実施されることを特徴とする、請求項５に記載の方法。
【請求項１８】
同じネットワーク提供者の異なるネットワークアカウントのために同じ第１アクセスデータ（Ｄ１、Ｄ２、Ｄ３、…）が設けられていることを特徴とする、請求項１〜１７のいずれか一項に記載の方法。
【発明の詳細な説明】
【技術分野】
【０００１】
本発明は、サービスプロバイダステーションに対する特殊なアクセスモードのために特に自動車両（即ちモータビークル）内に設けられている加入者ステーションへとアクセスデータを送信するための方法に関する。
【背景技術】
【０００２】
原理的には任意の加入者ステーションに適用可能であるが、自動車両内に設けられている加入者ステーションに関し、本発明並びに本発明の基礎となる問題点を説明する。
【０００３】
例えば、サービスプロバイダステーションに対する特殊な間接アクセスモードのための前記アクセスデータは、加入者ステーションにより選択可能なネットワークアカウントを用いて無線ネットワークを介し、第１交換ステーション及びインターネットを介して用いられる。更に、選択的な直接アクセスモードは、メモリ装置内に記憶されているアクセスデータを介し、無線ネットワーク及び固定式で予め設定されている自動車両製造者の第２交換ステーションを介して行われる。
【０００４】
しかしながら標準ケースは間接アクセスモードであり、直接アクセスモードは僅かな例外ケースだけで使用される。ところがこの関連では、間接アクセスモードに対しては特に自動車両により利用される無線ネットワークアカウント或いはネットワーク提供者に依存して変化するアクセスモードが必要不可欠であるという問題がある。
【０００５】
その都度に必要不可欠なアクセスデータを提供する可能性としては、加入者装置の利用者がアクセスデータを毎回入力するということにあるが、この可能性は快適なものではなくエラーに対して抵抗力があると言えるものでもない。
【発明の開示】
【発明が解決しようとする課題】
【０００６】
従って本発明の課題は、可変の特殊なアクセスデータに適応され得る、サービスプロバイダステーションに対する特殊なアクセスモードのために特に自動車両内に設けられている加入者ステーションへとアクセスデータを送信するための方法を提供することである。
【課題を解決するための手段】
【０００７】
請求項１に記載した特徴を有する本発明に従う方法は、周知の解決措置に対し、特殊なアクセスデータのために利用者入力が必要不可欠ではないという長所を有する。
【０００８】
本発明の基礎を成す考えは、第１アクセスデータの自動提供が意図されていて利用者自身或いは運転者自身がそのことに気を配る必要はないというものである。
【０００９】
従属請求項では、請求項１に記載されている方法の有利な構成及び改善策が示されている。
【００１０】
有利な構成に従い、第１アクセスモードは、第１アクセスデータを用い、第１ネットワークを介して加入者ステーションから第１交換ステーションへの第１接続を構築すること、及び、第２ネットワークを介して第１交換ステーションからサービスプロバイタステーションへの第２接続を構築することにより提供可能である。
【００１１】
有利な更なる構成に従い、第２アクセスモードは、第２アクセスデータを用い、第１ネットワークを介して加入者ステーションから第２交換ステーションへの第３接続を構築すること、及び、第２交換ステーションからサービスプロバイタステーションへの第４接続を構築することにより提供可能である。
【００１２】
有利な更なる構成に従い、第１ネットワークは、無線ネットワーク、特に無線電話ネットワークである。
【００１３】
有利な更なる構成に従い、第１ネットワークは無線電話ネットワークであり、第１アクセスデータは無線電話番号を有する。
【００１４】
有利な更なる構成に従い、第１交換ステーションはネットワークアカウントのネットワーク提供者の交換ステーションであり、この交換ステーションは前記無線電話番号を介して呼び出し選択可能である。
【００１５】
有利な更なる構成に従い、第２ネットワークは、グローバルネットワーク、特にインターネットである。
【００１６】
有利な更なる構成に従い、第２ネットワークはインターネットであり、第１アクセスデータがインターネットアドレスを有する。
【００１７】
有利な更なる構成に従い、第１アクセスデータは利用者識別及びパスワードを有する。
【００１８】
有利な更なる構成に従い、選択されたネットワークアカウントのための伝達された第１アクセスデータを加入者ステーション内に記憶させた直後に第２アクセスモードが切断され、記憶された第１アクセスデータを用いてサービスプロバイタステーションに対する第１アクセスモードの要求が実施される。
【００１９】
有利な更なる構成に従い、記憶されている第１アクセスデータを用いたサービスプロバイダステーションに対する第１アクセスモードの要求時、予め設定されている少なくとも１つのエラーの後、記憶されている第１アクセスデータの消去が実施され、選択されたネットワークアカウントのための第１アクセスデータの新要求が第２アクセスモードで実施される。
【００２０】
有利な更なる構成に従い、加入者ステーションは自動車両内に設けられていて、第２アクセスデータは無線電話番号を有し、第２交換ステーションは自動車両製造者の交換ステーションであり、この交換ステーションは前記無線電話番号を介して呼び出し選択可能である。
【００２１】
有利な更なる構成に従い、第１メモリ装置はテーブルメモリであり、このテーブルメモリは予め設定されているセット数の第１アクセスデータを記憶し得る。
【００２２】
有利な更なる構成に従い、前記テーブルメモリはＦＩＦＯ原理で書き込まれる。
【００２３】
有利な更なる構成に従い、第１アクセスデータのセットには自動的に各々の有効期限が割り当てられ、この有効期限で各々のセットは自動的に消去される。
【００２４】
有利な更なる構成に従い、各々の有効期限は第１アクセスデータに依存する。
【００２５】
有利な更なる構成に従い、本方法は、ＳＩＭカードの取り入れと電話ネットワークへのログインの後に自動的に実施される。
【００２６】
有利な更なる構成に従い、同じネットワーク提供者の異なるネットワークアカウントのために同じ第１アクセスデータが設けられている。
【発明を実施するための最良の形態】
【００２７】
本発明の実施形態が図面に示されていて、この実施形態について次に詳細に説明する。
【実施例１】
【００２８】
図面において同じ符号には同じ又は機能的に同じ構成要素が付けられている。
【００２９】
図１には、本発明に従う方法の実施形態を説明するためのシステムが図示されている。
【００３０】
図１で符号１は加入者ステーションを示し、この加入者ステーションは（非図示の）自動車両内に設けられている。自動車両の利用者により例えばジョイスティックやロッカボタンの形式の対応する操作装置を用いて操作される加入者ステーション１はフラウザを含んでいて、このブラウザは、加入者ステーション１の操作、及び、加入者ステーション１のサービスプロバイダステーションとの外部コンタクト、例えば図１では符号７５で示されているサービスプロバイダステーションとの外部コンタクトを制御する。
【００３１】
図１内の符号２は第１メモリ装置を示し、この第１メモリ装置内には第１アクセスデータＤ１、Ｄ２、Ｄ３、… を有するテーブル２ａが記憶されている。符号３は第２メモリ装置を示し、この第２メモリ装置は、第２アクセスデータＤが記憶されている領域３ａを有している。これらの第１アクセスデータと第２アクセスデータの意味はサービスプロバイダステーション７５に対する異なるアクセスモードにあり、サービスプロバイダステーション７５は、このケースでは、ＷＡＰポータル１００に対するアクセスを可能にするＷＡＰゲートウェイである。前記アクセスモードは、図１において対応する矢印で明確化されているように、以降、第１の間接アクセスモードＩＡ及び第２の直接アクセスモードＤＡと称するものとする。
【００３２】
更に図１において、Ｖ０〜Ｖ６は接続ブランチを示し、１０はＧＳＭネットワークの形式の無線ネットワークを示し、１５は、無線ネットワーク提供者の交換ステーション、例えばＤ１ネットの交換ステーションを示し、２５は自動車製造者の交換ステーションを示し、５０はインターネットを示している。
【００３３】
ここで説明している本発明に従う方法の実施形態では、第１の間接アクセスモードＩＡが、ＷＡＰゲートウェイの形式のサービスプロバイダステーション７５用の標準アクセスモードであり、それに対し、第２の直接アクセスモードＤＡは、例えば初期構成のための特殊なケースやインターネット５０が使用不能であるケースにおいてのみブラウザにより利用されるということが配慮されている。
【００３４】
その背景は、第２の直接アクセスモードＤＡが通常は制限容量を伴う不確実なアクセスモードであるということにある。また、加入者ステーション１を備えた自動車両が海外にある場合、この第２の直接アクセスモードＤＡは高価になり、その理由は、接続ブランチＶ０、Ｖ２を用いて無線ネットワーク１０を介する対応接続が遠距離接続を要求するためである。
【００３５】
それに対し、第１の間接アクセスモードＩＡは海外でも安価であり、その理由は、加入者ステーション１が、接続ブランチＶ０、Ｖ１を用いて無線ネットワーク１０を介し、近距離接続で到達可能なネットワーク提供者の交換ステーション１５にダイヤルインすることができ、そこから安価に接続ブランチＶ３を介してインターネット５０に到達し、更に接続ブランチＶ５を介してサービスプロバイダステーション７５に到達することができるためである。
【００３６】
しかしこの関連では次の問題が生じる。即ち、第１の間接アクセスモードＩＡのためには、利用されるネットワークアカウント或いはネットワーク提供者に特に依存して変化するアクセスデータＤ１、Ｄ２、Ｄ３、… が必要不可欠であるという問題である。他言すると、例えばＤ１ネットでは、インターネットアクセス用のＯＭＮＩＴＥＬネットのものとは異なる無線電話番号とＵＲＬアドレスが必要である。
【００３７】
その都度に必要不可欠なアクセスデータＤ１、Ｄ２、Ｄ３、… を提供する可能性としては、利用者がそれらのアクセスデータを毎回入力するということにあると言えるが、この可能性は快適なものではなく、その理由は、通常では操作装置がそのために適しているとは言い難く、即ち操作装置はエラーに対して抵抗力がなく安全上の問題点を含んでいるためである。それにより、ここで説明されている実施形態は、メモリ装置２のテーブルメモリ２ａのための第１アクセスデータＤ１、Ｄ２、Ｄ３を自動提供することを意図していて利用者自身或いは運転者自身はそのことに気を配る必要はないというものである。
【００３８】
付言すべきこととして、第２アクセスデータＤは直接アクセスモードＤＡのために車両製造者により予め設定され、工場内の車両サービスの際にだけ変更され得るということが挙げられる。他言すると、利用者或いは運転者はそれに対してアクセスすることはできない。
【００３９】
ここで説明されている実施形態の中核は次のことにある。即ち、対応するＳＩＭカードを取り入れ、ＰＩＮコードを入力した後、例えばＤ１ネットとして無線ネットワーク提供者或いは無線ネットワークアカウントを確定した後に、加入者ステーション１内では、対応する第１アクセスデータ、ここではＤ１ネットのためのアクセスデータＤ１が存在するか否かが自動的に検査され、対応する第１アクセスデータが存在する場合には、第１の間接アクセスモードＩＡを用い、サービスプロバイダステーション７５、ここではＷＡＰゲートウェイに対する接続が自動的に構築されるということである。
【００４０】
対応する第１アクセスデータＤ１が欠如している場合、又は、前もって確定されている所定の障害がある場合には、第２の直接アクセスモードＤＡを用いてサービスプロバイダステーション７５に対する接続が構築され、その後、この接続を介し、サービスプロバイダステーション７５に対し、現在利用されている無線ネットワーク提供者のための対応する第１アクセスデータを加入者ステーション１へと送信させる要求事項が自動的に送信される。
【００４１】
更にこの実施形態に従う加入者ステーション１は次のように設計されている。即ち、加入者ステーション１は、第２の直接アクセスモードＤＡを介して対応するアクセスデータＤ１を取得した後にこの接続を切断し、取得した第１アクセスデータ、例えばＤ１ネットのＤ１を用い、第１の間接アクセスモードＩＡを介してダイヤルインを試行するというようにである。
【００４２】
この機能的な処理方式は、いかなるやり方においても、第１の間接アクセスモードＩＡが標準として使用され且つ第２の直接アクセスモードＤＡが例外ケースにだけ使用されることを可能にする。
【００４３】
次に、図２〜図６に関連し、ここで説明されている実施形態のための機能的な方法ブロックを説明する。
【００４４】
図２は、説明されている実施形態に従う、加入者ステーション１内に設けられているブラウザを起動する（立ち上げる）ための方法ステップを説明する。
【００４５】
図２ではＳ１〜Ｓ１１の方法ステップが示されていて、これらの方法ステップは論理的に３つのブロック、Ｂ１、Ｂ２、Ｂ３にまとめられる。
【００４６】
ステップＳ１では、加入者ステーション１の電力供給部の対応するスイッチオンによりブラウザのスイッチオンが行われ、更に例えばロッカボタンである操作装置を用いて対応する命令の入力が行われる。
【００４７】
第１ブロックＢ１では、第１アクセスデータＤ１、Ｄ２、Ｄ３、… が保存されているメモリ装置２のテーブル２ａが次のことにより更新される、即ちこの例では、ステップＳ２において、同様にテーブル２ａ内に設けられている有効期限に所定のアクセスデータが達しているか否かがチェックされることによってである。所定の第１アクセスデータがそれらの有効期限に達している場合、これらのアクセスデータはステップＳ２でテーブル２ａから消去される。
【００４８】
第２ブロックでは、どのアクセスデータが、ＷＡＰゲートウェイであるサービスプロバイダステーション７５に対する第１アクセスのために使用されるかが確定される。
【００４９】
そのためにステップＳ３では先ず加入者ステーション１の利用者のＳＩＭカードからＩＭＳＩが確認され、それに続いてステップＳ４ではＭＣＣコードとＭＮＣコードが読み取れられる。それにより加入者ステーション１は、この加入者ステーション１がどの国にいてどのネットワーク提供者のもとにあるのかを認識する。
【００５０】
それに対応し、ステップＳ５内の処理手順では、テーブル２ａにおいて、該当国内の該当ネットワーク提供者のための対応する第１アクセスデータＤ１、Ｄ２、Ｄ３、… が設けられているか否か、例えばドイツ国内のＤ１ネットのための第１アクセスデータＤ１が設けられているか否かが調べられる。
【００５１】
対応する第１アクセスデータが設けられているか否かに応じ、プロセスフローは、テーブル２ａから発見された第１アクセスデータを使用するステップＳ６か、又は、第１アクセスデータの存在が欠如しているために第２メモリ装置３から第２の直接アクセスモードＤＡのための第２アクセスデータＤを使用するステップＳ７へと分岐する。
【００５２】
ブロックＢ３では先ず無線ネットワーク１０の使用可能性がチェックされる必要があり、その理由は、無線ネットワーク１０が使用不可能な場合には、第１の間接アクセスモードＩＡにおける通話も、第２の直接アクセスモードＤＡにおける通話も行われ得ないためである。
【００５３】
そのためにステップＳ８ではネットワークの使用可能性が検査され、その後、肯定的な結果の場合、この方法は図３内のステップＳ２１へと進行することになり、このステップＳ２１はＰＯＰ（Point of Presence）を表す。ステップＳ８の検査の結果が否定的な場合、利用者はステップＳ１０で無線ネットワーク１０の使用不可能について通知され、ブラウザはステップ１１でストップされる。
【００５４】
図３には、無線ネットワーク１０が使用可能な場合に、対応する交換ステーション１５或いは２５との接続を作成するための更なる方法ステップが示されている。
【００５５】
図３に従う方法ステップＳ２１〜Ｓ３１は同様にブロックＢ４〜Ｂ７に論理的に細分化される。
【００５６】
図２内のステップＳ８の肯定的な結果（ネットワーク使用可能）から出発し、ブロックＢ４では先ず、ステップＳ５の結果に応じ、第１アクセスデータ或いは第２アクセスデータに従うダイヤル接続を構築することが試行される。
【００５７】
例えば、このケースでは、選択されているネットワーク提供者、即ちドイツ国内のＤ１ネットのために第１間接アクセスデータＤ１が設けられていると仮定する。その際、ステップＳ２１では第１アクセスデータＤ１を用いてＤ１無線ネットワーク提供者の交換ステーション１５とのダイヤル接続を構築することが試行される。
【００５８】
ステップＳ２２では接続が確立されたか否かが検査され、接続が確立されなかった場合、プログラムはステップＳ２３へと分岐し、ステップＳ２３では１回以上のリダイヤリングが実施されたか否かが検査される。１回以上のリダイヤリングが実施されなかった場合、プログラムはステップＳ２１へとジャンプバックし、ステップＳ２１でリダイヤリングが行われる。ステップＳ２３の検査の結果が肯定的な場合、即ち既に１回のリダイヤリングが行われた場合、プログラムはブロックＢ６へと分岐する。
【００５９】
ブロックＢ６内ではステップＳ２４において、ダイヤル試行のために既に第２アクセスデータＤが使用されたか否かがチェックされる。既に第２アクセスデータＤが使用されたことはこの例において当てはまらないので、プログラムは更にステップＳ２５へと分岐し、ステップＳ２５では第２アクセスデータＤが取り込まれ、それに基づいてプログラムはブロックＢ４のステップＳ２１へとジャンプバックし、そこで第２アクセスデータＤを用いたダイヤル試行が行われる。
【００６０】
他方、ブロックＢ４内で既に第２アクセスデータＤが使用された場合、プログラムはステップＳ２４の後にブロックＢ７へとジャンプし、ブロックＢ７内でステップＳ３０において利用者に対してダイヤル試行の失敗に関する情報が示され、その後、ステップＳ３１でブラウザがストップされる。
【００６１】
例えば使用可能状態にある第１アクセスデータＤ１を用いてブロックＢ４内のダイヤル試行が成功すると、プログラムはステップＳ２２からブロックＢ５のステップＳ２６へとジャンプする。
【００６２】
ステップＳ２６では第１アクセスデータＤ１を用いて交換ステーション１５におけるログインが行われる。そのために通常は利用者名とパスワードが必要である。ステップＳ２７ではそのログインが成功したか否かが検査され、ログインが成功した場合、利用者は図４内のステップＳ３３でサービスプロバイダステーション７５を介したＷＡＰポータル１００との接続を整える可能性を有する。ログインが成功しなかった場合、プログラムはステップＳ２９へとジャンプし、ステップＳ２９において無線ネットワーク接続が切断され、ステップＳ２３へのジャンプバックが行われ、ステップＳ２３が既述の一回限りのリダイヤリングを開始する。
【００６３】
念のために指摘すべきこととして次のことが挙げられる。即ち、ステップＳ９において第２アクセスデータＤだけがある場合、この第２アクセスデータＤは、接続構築のためにブロックＢ４〜Ｂ７を対応する方式で進行し、それにより交換ステーション２５との接続が築かれるということである。
【００６４】
図４には、利用者がステップＳ２６で交換ステーション１５或いは２５を介してインターネットに対する接続を構築し得た場合の更なる方法経過が示されている。
【００６５】
ステップＳ３３ではＷＡＰポータル１００のスタートページが要求され、ステップＳ３４ではログイン・プロトコルが処理される。その後、ステップＳ３５ではポータルに対する接続が整えられたか否かが検査され、ポータルに対する接続が整えられなかった場合にはステップＳ３６への分岐が成され、ステップＳ３６では既にログイン反復が行われた否かがチェックされる。ログイン反復が行われなかった場合にはステップＳ３３に戻るように分岐が成され、そこで場合により２回目のログイン試行が行われる。ログイン反復が行われた場合、プログラムはポイントＳ１００へと分岐し、従って図３内のブロックＢ６に戻る。
【００６６】
ステップＳ３５における回答が肯定的な場合、プログラムはステップＳ３７へと分岐し、ステップＳ３７では新しい第１間接アクセスデータが必要であるか否かが検査される。この例では新しい第１間接アクセスデータは必要でなく、その理由は、第１間接アクセスデータＤ１を介して接続が作成されたためである。
【００６７】
しかし処理手順の開始において、第１間接アクセスモードＩＡのために第１アクセスデータが設けられていないことが確定された場合、このことは例えばスタートメッセージとしてポータルに自動的に通知され、その後、プログラムはステップＳ４０へと分岐し、ステップＳ４０において第１アクセスデータの要求が行われる。
【００６８】
第１アクセスデータがこの例のように設けられていると、プログラムはステップＳ３９へと進行し、ステップＳ３９においてパスワード入力が行われる。
【００６９】
図５には、説明されている実施形態において第１アクセスデータを提供するための更なる方法経過が示されている。
【００７０】
図５に従うプログラムフローはブロックＢ９〜Ｂ１２に細分化される。
【００７１】
ブロックＢ９ではステップＳ４０においてサービスプロバイダステーション７５に対して加入者ステーション１から第１アクセスデータの対応要求が行われ、この際、どのネットワークアカウントのために第１アクセスデータが必要であるのか、即ち例えばどの国内のどのネットワーク提供者のためのものであるのかが提示される。このことは、適合する第１アクセスデータが存在しないことがステップＳ９で決定された場合に既述したように自動的に行われる。
【００７２】
それに続くブロックＢ１０のステップＳ４１では加入者ステーション１が対応する第１アクセスデータを受信したか否かが検査される。加入者ステーション１が対応する第１アクセスデータを受信した場合、プログラムはブロックＢ１１のステップＳ４２へと分岐し、ステップＳ４２では受信された第１アクセスデータが記憶され、必要な場合には古い第１アクセスデータに上書きされる。古い第１アクセスデータ上への上書きは、メモリ装置２のテーブル２ａが制限容量を有する場合に必要不可欠である。上書きは例えばＦＩＦＯ原理に従って行われる。
【００７３】
その後、プログラムはブロックＢ１２のステップＳ５０へと分岐し、ステップＳ５０ではＷＡＰポータル１００に対する接続が切断され、その後、ステップＳ５１において無線ネットワーク接続が切断される。その後、ステップＳ５２では取得されて記憶された第１アクセスデータが使用され、その後、プログラムは図２内のステップＳ９へと分岐する。他言すると、該当する無線ネットワーク提供者のために対応する第１アクセスデータが存在するのであれば、高価な第２の直接アクセスモードＤＡはここで切断され、取得されて記憶された第１アクセスデータを用いたダイヤルインが直ちにステップＳ９以下で試行される。
【００７４】
ステップＳ４１における回答が否定的な場合、即ち、要求された第１アクセスデータがステップＳ４１で取得されなかった場合、プログラムは更にステップＳ４３へと移行し、ステップＳ４３では２回の要求反復が行われたか否かがチェックされる。２回の要求反復が行われなかった場合、１回目の或いは２回目の要求反復がステップＳ４０へのジャンプバックにより行われる。全ての要求反復が成功しない場合、プログラムは更にステップＳ４４へとジャンプする。
【００７５】
ステップＳ４４では、システムにより、加入者ステーション１の利用者が、サービスプロバイダステーション７５との接続の構築のために第２アクセスデータを使用したいか否かが問われる。
【００７６】
回答がＹｅｓである場合、ステップＳ４５において第２アクセスデータＤの使用が確定され、プログラムは図２のステップＳ９へとジャンプバックする。
【００７７】
ステップＳ４４における回答がＮｏである場合には、接続の構築が不可能であることがステップＳ４７で利用者に通知され、ブラウザがステップＳ４８においてストップされる。
【００７８】
図６には、ＷＡＰポータルとの接続が作成され、新しい第１アクセスデータが必要とされない場合の更なる方法ステップが示されている。
【００７９】
この際、パスワード入力が行われるステップＳ３７から出発し、プログラムはステップＳ５５へと進行し、ステップＳ５５ではＷＡＰポータル１００のログインページが表示される。
【００８０】
その後、ポータルにおけるログインは、例えば利用者により手動で入力される利用者名とパスワードを提示して行われる。
【００８１】
ステップＳ５７ではログインに成功したか否かがチェックされ、ログインに成功した場合にはＷＡＰポータル１００のスタートページがステップＳ５８で伝達されて表示される。ログインに成功しなかったことがステップＳ５７で決定される場合、エラーメッセージがステップＳ５９で伝達されて表示される。
【００８２】
ここでは有利な実施形態に基づいて本発明を説明したが、本発明はそれに限定されるものではなく、多岐に渡り修正可能である。
【００８３】
特に、本発明は例として挙げられたハードウェア構成に限定されるものではなく、任意のネットワーク及び終端機器或いはステーションに適用可能である。
【図面の簡単な説明】
【００８４】
【図１】本発明に従う方法の実施形態を説明するためのシステムを示す図である。
【図２】説明されている実施形態に従う、加入者ステーション内に設けられているブラウザを起動するための方法ステップを示す図である。
【図３】無線ネットワークの使用可能な場合に、対応する交換ステーションとの接続を作成するための更なる方法ステップを示す図である。
【図４】利用者が交換ステーションを介してインターネットに対する接続を構築し得た場合の更なる方法経過を示す図である。
【図５】説明されている実施形態において第１アクセスデータを提供するための更なる方法経過を示す図である。
【図６】ＷＡＰポータルとの接続が作成され、新しい第１アクセスデータが必要とされない場合の更なる方法ステップを示す図である。
【符号の説明】
【００８５】
１                    加入者ステーション
２                    第１メモリ装置
２ａ                  テーブル
３                    第２メモリ装置
Ｄ１、Ｄ２、Ｄ３      第１アクセスデータ
Ｄ                    第２アクセスデータ
１０                  無線ネットワーク
１５、２５            第１、第２交換ステーション
５０                  インターネット
Ｖ１〜Ｖ６            接続ブランチ
７５                  サービスプロバイダステーション
ＩＡ                  間接アクセスモード
ＤＡ                  直接アクセスモード
１００                ＷＡＰポータル
Ｓ１〜Ｓ１００        方法ステップ
Ｂ１〜Ｂ１３          方法ブロック
Ｊ（Ｊａ）            Ｙｅｓ（はい）
Ｎ（Ｎｅｉｎ）        Ｎｏ  （いいえ）
【国際公開パンフレット】
2005502271.tif 000003
2005502271.tif 000004
2005502271.tif 000005
2005502271.tif 000006
2005502271.tif 000007
2005502271.tif 000008
2005502271.tif 000009
2005502271.tif 000010
2005502271.tif 000011
2005502271.tif 000012
2005502271.tif 000013
2005502271.tif 000014
2005502271.tif 000015
2005502271.tif 000016
2005502271.tif 000017
2005502271.tif 000018
2005502271.tif 000019
2005502271.tif 000020
2005502271.tif 000021
2005502271.tif 000022
2005502271.tif 000023
2005502271.tif 000024
2005502271.tif 000025
2005502271.tif 000026
2005502271.tif 000027
2005502271.tif 000028
2005502271.tif 000029
【国際公開パンフレット（コレクトバージョン）】
2005502271.tif 000030
2005502271.tif 000031
【国際調査報告】
2005502271.tif 000032
2005502271.tif 000033
2005502271.tif 000034
2005502271.tif 000035
2005502271.tif 000036
2005502271.tif 000037